(57)【特許請求の範囲】
【請求項１】
カテーテル（１０）に固定され、管状ポンプ部（１４）を有する微小軸ポンプ（４０）と、ステント（２１）を拡張する膨張デバイス（１７）と、折りたたまれた可撓性の心臓弁人工器官（２０）を担持しかつ膨張デバイス（１７）により拡張可能にされたステント（２１）とを備え、膨張デバイス(17)、ステント(21)および心臓弁人工器官(20)が、管状ポンプ部（１４）を囲んで配置されている血管内心臓弁手術用デバイス。
【請求項２】
心臓弁人工器官（２０）が、ステント（２１）に縫いこまれた、請求項１に記載のデバイス。
【請求項３】
心臓弁人工器官（２０）は、膨張デバイス（１７）のバルーン壁とともに折りたたまれたホース形状の壁（２４）を有する、請求項１または２に記載のデバイス。
【発明の詳細な説明】
【０００１】
本発明は、カテーテルに固定された微小軸ポンプを備える血管内心臓手術用デバイスに関する。
【０００２】
ＷＯ９８／４３６８８に、モータ部とポンプ部を有し、血管システムを通して心臓に導入されることができる心臓内血液ポンプが記載されている。こうした血液ポンプは、たとえば、血液を左心室から大動脈へ押し出すために、大動脈を通して大動脈弁に配置されることができる。こうした血液ポンプは、心臓の押出し作用を保持または置きかえるようになっている。これらは、心臓を開ける必要なく、心臓に配置されることができる。
【０００３】
ＷＯ９７／３７６９７から、カテーテルに接続されたモータ部とポンプ部を有する血管内血液ポンプが公知である。血液ポンプは、患者の脈管系統を通して押し出される。それは、せいぜい約７ｍｍの直径を有する微小軸ポンプである。ポンプ部は、ポンプ・ハウジングの外側の流路をふさぐ拡張可能な阻止デバイスで囲まれる。それによって、確実に、引き入れられるすべての血液が、モータ部を通って流れ方向に運ばれ、ポンプ部のまわりの流れによって生ずる回路短絡が避けられる。阻止デバイスは、ポンプ・ハウジングに固定された環状バルーンまたはポンプ・ハウジングに接続された取入れホースであってもよい。この血液ポンプは、血管内での使用を目的とし、阻止デバイスは、ポンプ部のまわりの血管内腔をふさぐだけであって、血管壁を変形はしないという目的に役立つ。そのため、阻止デバイスのバルーンは、血管壁に対して外傷を与えることなくシールするための、低圧で膨張させられた低圧バルーンである。
【０００４】
また、血管狭窄が、押し広げられることにより除去されるバルーンを有する膨張カテーテルが公知である。こうした膨張カテーテルは、狭窄に対して永久に広げる支持部を形成するために、拡張可能な金属構造から成り、支持デバイスを形成する環状ステントを挿入するために使用することができる。こうした膨張カテーテルは、膨張したバルーンを通して血液を運ぶポンプ部を有する灌流カテーテルとして設計されている。心臓弁手術に関して、この膨張カテーテルは、せいぜい２ｍｍの小さな直径に対してのみ適用されるのであれば、適切ではない。
【０００５】
心臓弁の最も頻発する欠陥は、弁不全と狭窄を有する弁である。弁不全の場合、弁は十分に閉じることができない。このため、逆流が生ずる。通常、こうした弁は、人工弁で置き換えられなければならない。狭窄を有する弁は、端部でいっしょに成長した弁小葉を有し、それによって、弁は、完全には開かず、全血流がそこを通ることができない。
【０００６】
心臓弁に対して２つの外科手術の形態がある。心臓弁置換の場合、生来の心臓弁が取り除かれ、生体人工器官または機械的心臓弁で外科的に置き換えられる。この形態の外科手術に対しては、手術領域から血液がない状態に保つ、すなわち、自然の血流を転流させる必要がある。生来の心臓弁を修復する場合、弁に挿入されたバルーンを用いて、侵入を最小にする介入を行うことができる。たとえば、大動脈弁でのこうした手術では、心臓外科医または心臓病学者は相当な技量を必要とする。とりわけ、破壊操作中に大動脈を通る血流が止められなければならないために、脈管系統への供給が回復されるために、手術が非常に短時間で行われねばならないということがこの理由である。さらに、大動脈流を止める時に、心臓内部の圧力が極端に上昇し、冠状血管を介した血液供給が停止される。
【０００７】
本発明の目的は、侵入を最小にする弁手術が、比較的簡単に、また、時間的にせきたてられずに行える血管内心臓弁手術用デバイスを提供することである。
【０００８】
本発明によって、請求項１の特徴により、目的が解決される。
【０００９】
本発明のデバイスにおいて、血管内微小軸ポンプ、すなわち、患者の脈管系統を通して押し進められ、８ｍｍを超えない、対応する小さな外直径を有するポンプが備わっている。微小軸ポンプのポンプ部は、心臓弁内に配置された時に、心臓弁の狭窄を破壊するようになっている膨張デバイスを保持する。この膨張デバイスは、拡張した直径が少なくとも１５ｍｍで、少なくとも１．０ｂａｒで膨張可能な高圧バルーンを備えることが好ましい。高圧バルーンは、心臓弁の狭窄を破壊するか、または、膨らませて広げるように、心臓弁に配置され、液体を用いて拡張させられる。膨張デバイスは、こうして、心臓弁の狭窄、特に、大動脈弁または二尖弁の狭窄を破壊する活性要素を形成する。
【００１０】
ポンプ部またはポンプ部に隣接するカニューレの内腔は、７リットル／分までの大きな生理学的体積の流れでの強すぎる局所血流を避けるために、少なくとも８ｍｍである。さらに、膨張デバイスの担体は、膨張デバイスに対する十分に大きな支持が形成され、直径の増加の程度が過度にならないように、少なくとも８ｍｍの外直径を有するべきである。
【００１１】
さらに、本発明は、請求項５の特徴によって、心臓弁人工器官を血管内に配置するデバイスに関する。このデバイスは、また、膨張デバイスを保持する微小軸ポンプを備える。さらに、内側面上に可撓性心臓弁人工器官を担持するステントを備える。心臓弁人工器官を含むステントは、病原となる心臓弁内に導入され、生来の心臓弁の弁小葉を押し離すように、膨張デバイスにより拡張される。この心臓弁人工器官は、自動的に機能を引き受け、生来の心臓弁に代わる単一または複数翼心臓弁を含む。
【００１２】
心臓弁人工器官として、子牛または雌牛から採取された頚静脈弁を使用することができる。これは、自然の組織の生体人工器官である。
【００１３】
以下は、図を参照しての、本発明の実施形態の詳細な説明である。
【００１４】
図１は、心臓の一部、すなわち、血液が大動脈弁を通って大動脈ＡＯに流れる、左心室ＬＶを図示する。大動脈弁は、大動脈ＡＯに突き出て、流通の意味で、通路を大動脈へのみ許可するチェック弁を形成する、３つの弁小葉を有する。
【００１５】
狭窄を有する大動脈弁を押し広げるために、図１に例示されるデバイスは、大動脈を通して心臓に導入される。このデバイスは、微小軸ポンプ４０と接続されたカテーテル１０を備える。ポンプは、電気モータを含み、円筒駆動部１１の遠端から突き出るシャフト１２を駆動する駆動部１１を備える。保持ウェブ１３は、駆動部１１から管状ポンプ部１４へ軸方向に延びる。ポンプ部１４は、駆動シャフト１２によって駆動される羽車を含むポンプ・リング１５およびポンプ・リング１５を軸方向に延長させるカニューレ１６を備える。ポンプ・デバイス全体、すなわち、駆動部１１とポンプ部１４は、８ｍｍの最大直径を有する。カテーテル１０は、微小軸ポンプ４０の供給および制御用電気ワイヤと圧力液が供給される圧力内腔を備える。
【００１６】
環状バルーン１７は、ポンプ部１４上に備わり、折りたたまれた状態で図１に示されている。カテーテル１０の圧力内腔を通して、バルーン１７は、液体で膨張させることができる。バルーンは、膨張した直径が少なくとも１５ｍｍ、好ましくは、１５〜４０ｍｍの間の高圧バルーンで、８ｂａｒまでの圧力に耐えられる。バルーン１７は、カニューレ１６の長さの一部の上に延びる。その全長は、カニューレ１６の圧縮を防ぐ剛性リングによって支持されてもよい。
【００１７】
ポンプ・デバイスは、まず、（図示されない）ガイド・ワイヤを大動脈および左心室に配置することにより、大動脈に導入される。その後、デバイスが、ガイド・ワイヤに沿って進められ、取込み部１６が左心室ＬＶ内にあって、出口部１９が大動脈内になるように、大動脈弁ＡＫに配置される。こうして、ポンプ部１５は、大動脈弁ＡＫにより囲まれる。ポンプ・デバイスは、血液を後ろに運ぶ、すなわち、軸方向に引き、出口部１９において横方向に吐き出す。
【００１８】
ポンプ・デバイスが図１に示されるように配置された後、駆動部１１が、ポンプが左心室ＬＶから大動脈ＡＯに血液を運ぶように駆動される。それによって、心臓が容積および圧力の点で軽減され、落ち着く。そして、膨張デバイス１８を形成するバルーン１７が大動脈弁ＡＫの中央で膨張させられる。高圧で膨張させられたバルーン１７により、大動脈弁ＡＫの弁小葉は、押し広げられ、可能性のある交連への癒着が破壊される。こうして、狭窄を有する弁が、完全に開いた状態を再びとるのに十分に遠くまで押し広げられる。ポンプ・デバイスにより、この形態の弁手術は、手術が終るまで心拍出量（リットル／分）が膨張デバイスを通してポンプ・デバイスにより運ばれるため、落ち着いた環境で、急ぐことなく行うことができる。同様に、前述の膨張デバイスは、狭窄を有する生来の二尖弁を破って開くのに使用することができる。
【００１９】
図３から図７は、不充分な弁が弁人工器官と置き換えられるデバイスを示す。この目的のために、通常、図１および図２を参照して記載されているのと同じデバイスが使用される。このデバイスは、図６に示される。収縮させられ、折りたたまれた膨張デバイス１８の上にあるのは、圧縮された螺旋形状ステント２１が配置された可撓性の心臓弁人工器官２０である。
【００２０】
さらに、図６は、カテーテル１０でデバイスを進め、正確な位置にデバイスを配置するのに役立つガイド・ワイヤ２２を例示している。ガイド・ワイヤ２２は、カニューレ１６の遠端から突き出ている。ガイド・ワイヤ２２は、カニューレの横穴２３を通過し、カテ−テル１０に沿って、ポンプ部１４と駆動部１１の外側を延びる。
【００２１】
可撓性の心臓弁人工器官２０は、図３に例示されている。それは、雌牛または子牛から採取された生体人工器官である。この目的のために、導管弁２５を含む血管の部分２４が除去される。この弁２４は、単一翼または三翼の弁であってもよい。図４によれば、この弁人工器官２０は、ステント２１内に配置される。ステント２１は、本発明の例においては、曲折進路のように曲げられ、軸方向圧縮または放射方向拡張を可能にする、金属棒の管状要素である。たとえば、伸張材料のセル構造のような、他のステント構造が使用されることもできる。ステントが、確実に、圧縮された管状形状および拡張された管状形状をとることが重要である。導管人工器官２０のホース形状の壁２４は、ステント２１の棒に縫いこまれる。こうして、導管人工器官２０は、導管人工器官の移植後に、ステントが、自然な心臓弁と生体人工器官の間にあり、血液と接触しないように、ステント２１の内側面に固定される。こうして、ステントにより、血栓に対する抗凝固剤の適用は必要としない。
【００２２】
図５は、ポンプ・リング１５を有するポンプ部１４を示している。膨張デバイス１８のバルーンおよび弁人工器官２０は、ポンプ・リング１５のまわりで複数の輪に折りたたまれており、弁人工器官は、ステント２１の棒に固定されている。この状態で、バルーン、弁人工器官２０およびステント２１は、ポンプ部１４を囲む平坦パッケージを形成する。このパッケージは、生来の心臓弁ＡＫに配置される。その後、ポンプが駆動され、膨張デバイス１７がポンプ動作とともに膨張する。図７に示されるように、ステント２１は膨張させられ、心臓弁人工器官２４を広げ、生来の大動脈弁ＡＫの小葉を、開いた位置（収縮時の弁位置）に、外側に押す。それによって、大動脈弁ＡＫが不動態化される。ステント２１は、心臓弁開口に残る。ステントには、元の状態に大きくされ、弁小葉２５を含む心臓弁人工器官２４がある。今や、この心臓弁が、生来の大動脈弁ＡＫの機能を引き受ける。
【００２３】
心臓弁人工器官の変位を避けるために、ステント２１または心臓弁人工器官２０を、生来の心臓弁を囲む環２６に固定することができる。これは、心臓弁人工器官の保持部として使用するのに適した軟骨組織の強いリングである。
【図面の簡単な説明】
【図１】  大動脈弁に導入された、心臓弁の狭窄を除去するデバイスを例示する。
【図２】  膨張デバイスが拡張した状態での図１のデバイスを示す。
【図３】  可撓性の心臓弁人工器官の縦断面図である。
【図４】  拡張したステントと結合された、図３の心臓弁人工器官を例示する。
【図５】  内部に含まれる心臓弁人工器官が折りたたまれた状態で、ステントと同様に周りを囲むバルーンを有するポンプ部の断面図である。
【図６】  可撓性の心臓弁人工器官を移植するデバイスの図である。
【図７】  移植された心臓弁人工器官が大動脈部にある、心臓の領域を示す。
【図１】
0004148646.tif 000002
【図２】
0004148646.tif 000003
【図３】
0004148646.tif 000004
【図４】
0004148646.tif 000005
【図５】
0004148646.tif 000006
【図６】
0004148646.tif 000007
【図７】
0004148646.tif 000008